(57)【要約】      （修正有）【課題】地震による振動や衝撃を吸収し、それらが床面から器具等にそのまま直接伝わらないようにして、器具等の横ズレや転倒を防ぐ免震受皿を提供する。【解決手段】ステンレス板からなり、平面形状を円形となし、中央部を下面側に膨出させて窪ませた皿状の受皿本体２の下面側に、弾性及び粘着性を有する材料からなり、所要の厚味を有する振動及び衝撃吸収用マット３を取り付ける。更に、前記振動及び衝撃吸収用マット３の下面に剥離シート４を仮貼着する。【選択図】図１
0003183325.tif 000002
【実用新案登録請求の範囲】
【請求項１】
金属板からなり、任意の平面形状となし、中央部を下面側に膨出させて窪ませた皿状の受皿本体と、前記受皿本体の下面側に取り付けた、弾性及び粘着性を有する材料からなり、所要の厚味を有する振動及び衝撃吸収用マットと、前記振動及び衝撃吸収用マットの下面に仮貼着する剥離シートとからなることを特徴とする免震受皿。
【請求項２】
金属板がステンレスである請求項１記載の免震受皿。
【請求項３】
受皿本体の平面形状が円形である請求項１又は２記載の免震受皿。
【請求項４】
弾性及び粘着性を有する材料がポリウレタンである請求項１、２又は３記載の免震受皿。
【考案の詳細な説明】
【技術分野】
【０００１】
本考案は免震受皿に関し、更に詳細には、特に下面に脚体やストッパー付きのキャスターを備えた冷蔵庫や洗濯機、コピー機、家具等において、それらの地震時における振動や衝撃による横ズレや転倒を効果的に防止することができるようになした免震受皿に関するものである。
【背景技術】
【０００２】
大きな地震が起こると、その振動や衝撃によって冷蔵庫や洗濯機、コピー機、家具等が横ズレしたり転倒したりする事故が起きやすい。
【０００３】
このため従来においてもこれに対処するための手段が種々提案されている。
【０００４】
しかし、従来の手段はいずれも前記器具等が動かないようにしっかり固定することに主眼をおいたものであり、この場合、地震による振動や衝撃は、緩衝されることなく、床面からそれらの器具等に直接そのまま伝わるものである。したがって、内部に収容している物が横ズレしたり、転倒したりすることが多かった。また、大きな地震の場合には、振動や衝撃によって固定手段そのものが壊れる虞もあった。
【考案の概要】
【考案が解決しようとする課題】
【０００５】
本考案は上記の点に鑑みなされたものであって、上記器具等と床面との間に介在させ、大きな地震による振動や衝撃を吸収することによって床面の振動や衝撃がそのまま直接上記器具等に伝わらないようになし、且つまた強い粘着力によって受皿本体の床面との間の横ズレを抑制し、器具等の横ズレや転倒も防ぐことができるようになした免震受皿を提供しようとするものである。
【課題を解決するための手段】
【０００６】
而して、本考案の要旨とするところは、金属板からなり、任意の平面形状となし、中央部を下面側に膨出させて窪ませた皿状の受皿本体と、前記受皿本体の下面側に取り付けた、弾性及び粘着性を有する材料からなり、所要の厚味を有する振動及び衝撃吸収用マットと、前記振動及び衝撃吸収用マットの下面に仮貼着する剥離シートとからなることを特徴とする免震受皿にある。
【０００７】
また、上記構成において、金属板としては、ステンレスを用いることが好ましい。
【０００８】
また、上記構成において、受皿本体の平面形状としては、円形とすることが好ましい。
【０００９】
また、上記構成において、弾性及び粘着性を有する材料としては、ポリウレタンを用いることが好ましい。
【考案の効果】
【００１０】
本考案は上記の如き構成であり、先ず受皿本体を、その下面側に取り付けた振動及び衝撃吸収用マットの粘着力により床面に強力に貼着して固定した後、冷蔵庫や洗濯機等の器具等を一旦浮かせた後、下に降ろし、その下面に備えられた脚体等を該受皿本体の窪みに収受すると、免震受皿がこれら器具等と床面との間に介在することになる。これにより、大きな地震による振動や衝撃は、免震受皿における振動及び衝撃吸収用マットが吸収し、器具等にはそのまま直接伝わらないことになる。したがって、器具等の内部に収容している物がズレたり倒れたりすることを防止することができるものである。また、器具等における脚体を、床面に強力に貼着された免震受皿における受皿本体の窪みに収受することにより、該器具等の横ズレや転倒が確実に防止されることになるものである。また、小型でコンパクトであるから保管や取扱いが楽であると共に、床面に設置するときには剥離シートを剥がして床面に押し付けるだけで済み、設置も簡単、迅速に行うことができるものである。
【図面の簡単な説明】
【００１１】
【図１】本考案の実施形態に係る免震受皿の斜視図である。
【図２】同中央縦断正面図である。
【図３】同使用状態の斜視図である。
【図４】同使用状態の縦断面図である。
【考案を実施するための形態】
【００１２】
以下、本考案を実施するための形態について、図面を参照して説明する。
【００１３】
図中、１は免震受皿である。また、該免震受皿１は、金属板からなり、任意の平面形状となし、中央部を下面側に膨出させて窪ませた皿状の受皿本体２と、前記受皿本体２の下面側に取り付けた、弾性及び粘着性を有する材料からなり、所要の厚味を有する振動及び衝撃吸収用マット３と、前記振動及び衝撃吸収用マット３の下面に仮貼着する剥離シート４とからなるものである。
【００１４】
また、図面において、２ａは前記受皿本体２の中央部の窪みである。また、本実施形態においては、前記金属板としてステンレスを用いており、また受皿本体２の平面形状を真円形としている。尚、該平面形状は、これに限定されるものではない。また、前記弾性及び粘着性を有する材料としては、ポリウレタンを用いている。また、その他、図中５は床面、６は冷蔵庫、７は該冷蔵庫６の高さ調節可能な脚体である。
【００１５】
次に、本実施形態の作用について説明する。
使用するときには、先ず振動及び衝撃吸収用マット２の下面に仮貼着している剥離シート４を剥がす。次に、表面の埃や油等を拭き取った床面５の上に免震受皿１を押し付け、その振動及び衝撃吸収用マット３の粘着力をもって強力に貼着する。そして、その後器具等、図３に示した例においては冷蔵庫６を一旦浮かせてから降ろし、受皿本体２の窪み２ａにその脚体、図３において示した例においては冷蔵庫６の脚体７を収受するものである。
【００１６】
斯かる状態は図４に示す通りであり、免震受皿１が冷蔵庫６と床面５との間に介在した状態となるものである。そしてこれにより大きな地震による振動や衝撃は、免震受皿１における振動及び衝撃吸収用マット３が吸収し、冷蔵庫６にはそのまま直接伝わらないことになるものである。したがって、冷蔵庫６の内部に収容している物がズレたり倒れたりすることを防止することができるものである。また、冷蔵庫６の脚体７を、床面５に強力に貼着された免震受皿１における受皿本体２の窪み２ａに収受するものであるから、該冷蔵庫６の横ズレや転倒を確実に防止することができるものである。また、小型でコンパクトであるから保管や取扱いが楽であると共に、床面５に設置するときには剥離シート４を剥がして床面に押し付けるだけで済み、設置も簡単、迅速に行うことができるものである。
【符号の説明】
【００１７】
１  免震受皿
２  受皿本体
２ａ  窪み
３  振動及び衝撃吸収用マット
４  剥離シート
【図１】
0003183325.tif 000003
【図２】
0003183325.tif 000004
【図３】
0003183325.tif 000005
【図４】
0003183325.tif 000006